(57)【要約】【課題】  光学アクセサリをレンズ装置に装着するための光学アクセサリ用アダプタであって、レンズ装置の大型化や質量の増加を招くことなく、該光学アクセサリを使用した良好な映像を提供可能とする光学アクセサリ用アダプタを提供する。【解決手段】  嵌着する取付径が互いに異なる、レンズ装置と該レンズ装置の物体側に装着される光学アクセサリとを互いに接続するための光学アクセサリ用アダプタは、物体側面の前記レンズ装置の取付径の外側の領域の一部に光軸方向に貫通しない切欠き部を設けたことを特徴とする。【選択図】  図１
2014163980.tif 000002
【特許請求の範囲】
【請求項１】
嵌着する取付径が互いに異なる、レンズ装置と該レンズ装置の物体側に装着される光学アクセサリとを互いに接続するための光学アクセサリ用アダプタであって、物体側面の前記レンズ装置の取付径の外側の領域の一部に光軸方向に貫通しない切欠き部を設けたことを特徴とする、光学アクセサリ用アダプタ。
【請求項２】
前記光学アクセサリ用アダプタと前記レンズ装置との装着角度を決める角度位相決め手段を有する、請求項１に記載の光学アクセサリ用アダプタ。
【請求項３】
前記角度位相決め手段は、前記レンズ装置及び前記光学アクセサリ用アダプタの一方の取付径部に対して設けられた径方向側に出入り可能な突起と、前記レンズ装置及び前記光学アクセサリ用アダプタの他方の取付径部に設けられた前記突起が落ち込む凹部とからなることを特徴とする、請求項２に記載の光学アクセサリ用アダプタ。
【請求項４】
前記レンズ装置の取付径の内側に張り出す遮光部を有することを特徴とする請求項１乃至３のいずれか１項に記載の光学アクセサリ用アダプタ。
【請求項５】
前記切り欠き部の輪郭を構成する外形の辺と、前記遮光部の縁部は、それぞれ略長方形の短辺、長辺の一部を構成することを特徴とする請求項１乃至４のいずれか１項に記載の光学アクセサリ用アダプタ。
【請求項６】
請求項１乃至５のいずれか１項に記載の光学アクセサリ用アダプタにより光学アクセサリと接続されたレンズ装置。
【請求項７】
請求項６に記載のレンズ装置を有することを特徴とする撮像装置。
【発明の詳細な説明】
【技術分野】
【０００１】
本発明は、レンズ装置と光学アクセサリとの間に挿入される光学アクセサリ用アダプタに関するものである。
【背景技術】
【０００２】
従来、レンズ装置に取り付ける光学アクセサリは専用の物を除き、レンズ装置に合わせて作られるものではなく、汎用的な光学アクセサリをレンズ装置に取り付けて使用していた。
【０００３】
また、顕微鏡やマクロレンズのような拡大撮影を目的とする特殊な用途に使用するレンズ装置を除く、一般的なレンズ装置は、先端のレンズから被写体側に向けて撮影光線が広がる。そのため、レンズ装置の被写体側に取り付ける光学アクセサリはレンズ装置の取付径と同じか、レンズ装置の取付径より大きな取付径の光学アクセサリを使用する。
【０００４】
特に広角撮影用のレンズ装置の場合は撮影光線の広がり角が大きく、撮影光線とレンズ鏡筒との干渉を防止するために、レンズ鏡筒の先端径を広げたり、レンズ鏡筒の先端を花形に切欠いていた。
【０００５】
例えば、特許文献１ではレンズ装置に取り付ける光学アクセサリと、光学アクセサリ用アダプタの構成が開示されている。
具体的には、レンズ装置に嵌るように開口部(a varying aperture 112）が設けられた円環部材(Doughnut Ring 100)が光学アクセサリ用アダプタとして設けられ、レンズ装置に装着される。さらに、光学アクセサリ(the matte box)の後端のリング部材(the back ring 120)と円環部材が結合することで、レンズ装置から光学アクセサリが一体的に接続される構成が開示されている。
【０００６】
非特許文献１の第５１頁の写真１と図１にレンズ鏡筒の先端を広げた形状が開示されており、特許文献２では花形に切欠いた鏡筒の形状が開示されている。
【先行技術文献】
【特許文献】
【０００７】
【特許文献１】米国特許第４９０１０９８号
【特許文献２】特開２００５−４１１１号公報
【非特許文献】
【０００８】
【非特許文献１】映画テレビ技術  （（社）日本映画テレビ技術協会  平成１８年(２００６年)１１月  Ｎｏ．６５１号、ｐ.５１）
【発明の概要】
【発明が解決しようとする課題】
【０００９】
しかしながら、先行文献１のようにレンズ鏡筒の先端径を広げた場合、先端径を光学アクセサリの取付径に合わせることで、光学アクセサリ使用時に光学アクセサリ用アダプタは不要になるが、レンズ装置そのものの外径と質量が増加してしまう。
【００１０】
また、上述の特許文献１に開示された光学アクセサリ用アダプタを介して特許文献２の広角レンズに光学アクセサリを取り付けると、鏡筒の切欠いた部分から光学アクセサリ用アダプタの内径がはみ出し、撮影光線と干渉してしまう可能性が有る。
【００１１】
光学アクセサリ用アダプタを像側に移動させることで光学アクセサリ用アダプタと撮影光線の干渉を回避することが出来るが、光学アクセサリとレンズ装置との間隔が確保できなくなる可能性が有る。
【００１２】
例えば、特許文献１のフィルタ保持枠(filter holder body 240)はレンズ装置の前側に挿入される。そのため、光学アクセサリ用アダプタがレンズ装置先端から像側に入り込むと、フィルタ保持枠もレンズ装置に接近し、レンズ装置とフィルタ保持枠が干渉する可能性が有る。
【００１３】
そこで、本発明の目的は、レンズ装置の大型化や質量の増加を招くことなく、光学アクセサリを使用した良好な映像を提供することを可能にした、光学アクセサリ用アダプタを提供することである。
【課題を解決するための手段】
【００１４】
上記目的を達成するために、本発明の光学アクセサリ用アダプタは、嵌着する取付径が互いに異なる、レンズ装置と該レンズ装置の物体側に装着される光学アクセサリとを互いに接続するための光学アクセサリ用アダプタであって、物体側面の前記レンズ装置の取付径の外側の領域の一部に光軸方向に貫通しない切欠き部を設けたことを特徴とする。
【発明の効果】
【００１５】
本発明によれば、レンズ装置の大型化や質量の増加を招くことなく、光学アクセサリを使用した良好な映像を提供することができる。
【図面の簡単な説明】
【００１６】
【図１】本発明の第１の実施例の撮像装置の代表的な構成図
【図２】本発明の第１の実施例の光学アクセサリ用アダプタの構造を示す図
【図３】本発明の第１の実施例の撮像装置の断面図
【図４】本発明の第１の実施例の撮像装置の対角方向の断面図
【図５】本発明の光学アクセサリ用アダプタの背面図
【図６】本発明の第２の実施例の撮像装置の代表的な構成図
【図７】本発明の第２の実施例の可動突起部の断面図
【図８】本発明の第２の実施例の可動突起が落ち込んだ時の断面図
【図９】本発明の第３の実施例の撮像装置の代表的な構成図
【図１０】本発明の第３の実施例の撮像装置の断面図
【発明を実施するための形態】
【００１７】
以下に、本発明の好ましい実施の形態を、添付の図面を参照しながら詳細に説明する。図１は、本発明の実施形態にかかわる光学アクセサリ用アダプタを使用したレンズ装置（撮像装置）の代表的な構成を示す図である。
【実施例１】
【００１８】
以下、図１から５を参照して、本発明の第１の実施例による、光学アクセサリ用アダプタについて説明する。
【００１９】
図１は本発明の実施形態にかかわる光学アクセサリ用アダプタを使用した撮像装置の代表的な構成を示す。レンズ装置２はカメラ３に装着され、レンズ装置２の先端には光学アクセサリ用アダプタ１を介して光学アクセサリとしてのマットボックス４が装着される。光学アクセサリは、レンズ装置の物体側に嵌着して取り付けられるものであり、光学アクセサリ用アダプタは、取付径が互いに異なるレンズ装置と光学アクセサリを互いに接続するために使用される。レンズ装置２の先端は、撮影光線との干渉を回避するための花形切欠き部２ａが左右に各１か所と、切欠かれずに残った先端部２ｂが上下に各１か所設けられる。また、先端部２ｂは、レンズ装置の先端ガラス２ｃの頂点よりも物体側に配置される。
【００２０】
マットボックス４はフードとしての機能を持つとともに、フィルタ保持枠５ａ及び５ｂが挿抜可能に構成され、フィルタ保持枠５ａ及び５ｂはそれぞれ光学フィルタを保持することで、フィルタを透過した被写体光を撮影することにより映像に様々な効果を付与することが出来る。マットボックス４の取付径と、レンズ装置２の取付径に差が有る場合、円環形状の光学アクセサリ用アダプタ１を使用して径差を補うことで、レンズ装置２に対してマットボックス４を装着することが可能になる。
【００２１】
図２は本発明の光学アクセサリ用アダプタ１の構造を示す。
内径１ａは、レンズ装置２の取付部の外周面が嵌るように構成され、外径１ｂはマットボックス４の取付部の内周面が嵌るように構成される。光学アクセサリ用アダプタ１の物体側面１ｃのレンズ装置２の取付径の外側の領域の一部には略長方形の輪郭を有する切欠き部１ｄが設けられる。略長方形の切欠き部１ｄは光学アクセサリ用アダプタ１を光軸方向に貫通することなく、切欠き部１ｄの長辺は内径１ａより大きく、切欠き部１ｄの短辺は内径１ａより小さい。切欠き部１ｄの短辺は内径１ａより小さいため、切欠き部１ｄの深さ（光軸方向の長さ）の中で、少なくとも一部は内径１ａが残るように構成される。切り欠き部１ｃの輪郭が形成する形状（略長方形）は、レンズ装置が接続されるカメラ装置で撮像される撮像面（映像）の形状に対応するものである。光学アクセサリ用アダプタ１の物体側には、内径１ａよりさらに小さな径のレンズ突き当て部１ｅが、切欠き部１ｄを挟んで両側に設けられる。さらに、外径１ｂの近傍には、外径１ｂより外径が大きいアクセサリ突き当て部１ｆが設けられる。
【００２２】
図３はレンズ装置２の先端からマットボックス４までの断面を示す。
レンズ装置２に光学アクセサリ用アダプタ１を装着し、光学アクセサリ用アダプタ１にマットボックス４を装着することで、レンズ装置２からマットボックス４を一体的に接続できる。先端部２ｂとレンズ突き当て部１ｅとが当接することで、レンズ装置２と光学アクセサリ用アダプタ１との光軸方向の位置が決まる。また、アクセサリ突き当て部１ｆとマットボックス４の突き当て部４ａが当接することで、光学アクセサリ用アダプタ１とマットボックス４との光軸方向の位置が決まる。この時、光学アクセサリ用アダプタ１の物体側面がフィルタ保持枠５ａの動作範囲内に入り込まないような寸法を設定することで、マットボックス４をレンズ装置２に装着したままでフィルタ保持枠５ａ及び５ｂの挿抜が可能になる。
【００２３】
図４は撮影光線６の角度が最も大きい、撮像面形状の対角方向に対応する断面を示す。
撮影光線６は先端ガラス２ｃから放射状に広がる。レンズ装置２が広角レンズである場合、撮影光線６の広がり角は大きく、花形切欠き部２ａの領域を通過する。光学アクセサリ用アダプタ１を、切欠き部１ｄの長辺と映像の水平方向（撮像面の長手方向）が略平行になるようにレンズ装置２に装着することにより、花形切欠き部２ａを通過した撮影光線６は光学アクセサリ用アダプタ１の内径１ａに当たることなく、切欠き部１ｄを通過する。また、切欠き部１ｄは光学アクセサリ用アダプタ１の光軸方向を貫通しないため、レンズ装置２の後方からマットボックス４内に入射する図４中に矢印Ａで示す不要光が遮られる。そのため、不要光がフィルタ保持枠５ａ及び５ｂに保持されるフィルタの表面で反射して、映像の品位を低下させることが無い。
【００２４】
以上のように、本実施例の光学アクセサリ用アダプタを使用することにより、鏡筒の先端に花形の切欠きを有する広角レンズであっても、光学アクセサリを使用してもケラレの無い良好な映像の撮影が可能になる。また、広角レンズにおいてケラレのない状態で光学アクセサリを使用するための、レンズ装置先端の外径を大きくする設計の必要が無くなるため、レンズ装置の小型化が可能になる。
【００２５】
さらに、図５のように、切欠き部１ｄの長辺の寸法Ｘと、短辺の寸法Ｙと、物体面側またはレンズ突き当て部からの深さＤを光学アクセサリ用アダプタ１の機能に支障のない任意の面に表示することもできる。それにより、レンズ装置に装着した際の撮影光線と光学アクセサリ用アダプタとの干渉の有無が、映像を確認することなく事前に判断することが可能になる。
【００２６】
また、本実施例の光学アクセサリ用アダプタは花形の切欠きを必要としないレンズ装置にも装着が可能であることは言うまでも無い。
【００２７】
また、本実施例の説明図では光学アクセサリ用アダプタに設けられる略長方形の切欠き部の底面を平面で描いているが、外径から内径に向けて（レンズ装置に装着時の位置で、物体側からレンズ側に向けて）切り欠き深さが深くなるテーパー面であっても同様の効果が得られることは言うまでも無い。
【００２８】
また、切欠き部の形状は長方形に限らず、光学アクセサリ用アダプタの物体側面を通過する撮影光線の範囲より大きな形状であれば、糸巻き型や樽型のような形状であっても構わない。
【実施例２】
【００２９】
以下、図６から８を参照して、本発明の第２の実施例による、光学アクセサリ用アダプタについて説明する。
【００３０】
図６は本発明の実施形態にかかわる光学アクセサリ用アダプタを使用した撮像装置の代表的な構成を示す。レンズ装置８はカメラ３に装着され、レンズ装置８の先端には光学アクセサリ用アダプタ７を介して不図示の光学アクセサリが装着される。本実施例の光学アクセサリ用アダプタ７は、光学アクセサリ用アダプタとレンズ装置との装着角度を決める角度位相決め手段を備える。光学アクセサリ用アダプタ７には、略長方形の切欠き部７ａと共に、内径部に可動突起７ｂが設けられる。レンズ装置８の先端には、花形切欠き部８ａと共に、外径部に凹部８ｂが設けられる。
【００３１】
図７及び８を用いて、本実施例の光学アクセサリ用アダプタの角度位相決め手段の動作を説明する。角度位相決め手段は、可動突起７ｂ、バネ７ｄ、規制突起７ｅ、規制穴７ｆ、凹部８ｂを含む。
【００３２】
図７はレンズ装置８に光学アクセサリ用アダプタ７を装着した時の可動突起７ｂの状態を示す。可動突起７ｂは回転中心７ｃを中心に回転方向にのみ自由度を有し、バネ７ｄにより内径方向に付勢されながら、規制突起７ｅと規制穴7ｆによって規制される可動範囲内を回転移動するように構成されている。可動突起７ｂはレンズ装置８によって外周方向に押し込まれ、回転中心７ｃを中心に回転して退避することで、光学アクセサリ用アダプタ７は可動突起７ｂに引っ掛かることなくレンズ装置８に装着できる。
【００３３】
光学アクセサリ用アダプタ７をレンズ装置８に対して回転させて、可動突起７ｂがレンズ装置８の凹部８ｂと位相が合うと、バネ７ｄの付勢力により可動突起７ｂは凹部８ｂに落ち込み、図８の状態になる。可動突起７ｂは回転中心７ｃを中心とする回転方向にのみ自由度を有するため、一旦凹部８ｂに落ち込むと、光学アクセサリ用アダプタ７はレンズ装置８に対して可動突起７ｂと凹部８ｂのガタ分以上に回転が出来なくなる。
【００３４】
この時、光学アクセサリ用アダプタ７の切欠き部７ａの長辺と映像の水平方向が略平行になるように、可動突起７ｂと凹部８ｂの角度関係を合わせることにより、装着時に映像のケラレの確認することなく位相調整が可能になる。
【００３５】
以上のように、本実施例によれば、実施例１の効果に加え、レンズ装置に対する光学アクセサリ用アダプタの位相調整時の確認が不要になり、使用時の利便性が向上する。
【００３６】
また、可動突起は光学アクセサリ用アダプタの内径に対して出入り可能であるため、凹部の無いレンズ装置に取り付けることも可能である。
【００３７】
また、光学アクセサリ用アダプタの位置決めの突起は可動である方が利便性が高いが、必ずしも可動である必要は無く、固定された突起を有して、レンズ装置の凹部に嵌め込む構成としても本発明の効果を得ることができる。
【００３８】
さらに、本実施例においては、光学アクセサリ用アダプタ側に突起、レンズ装置側に凹部を設ける例を示したが、レンズ装置側に突起、光学アクセサリ用アダプタ側に凹部を設けても同様の効果が得られる。すなわち、レンズ装置及び前記光学アクセサリ用アダプタの一方の取付径部に対して設けられた径方向側に出入り可能な突起と、レンズ装置及び前記光学アクセサリ用アダプタの他方の取付径部に設けられた突起が落ち込む凹部とを備えることによって、本発明の作用効果を得ることができる。
【実施例３】
【００３９】
以下、図９及び１０を参照して、本発明の第３の実施例による、光学アクセサリ用アダプタについて説明する。
【００４０】
図９は本発明の実施形態にかかわる光学アクセサリ用アダプタを使用した撮像装置の代表的な構成を示す。レンズ装置の先端には光学アクセサリ用アダプタ９を介して不図示の光学アクセサリが装着される。レンズ装置と光学アクセサリ用アダプタ９のその他の構造は、実施例１または実施例２と同様であるため、説明を省略する。
【００４１】
光学アクセサリ用アダプタ９には、略長方形の切欠き部９ａが設けられ、切欠き部９ａの長辺はレンズ突き当て部を兼ねる遮光部９ｂの縁を構成する。切り欠き部９ａの輪郭を構成する外形の辺と、遮光部９ｂの縁部は、それぞれ略長方形の短辺、長辺の一部、を構成する。本実施例の光学アクセサリ用アダプタ９は、レンズ装置２の取付径の内側に張り出す遮光部９ｂを有する。遮光部９ｂは、図１０に示すように、撮影光線６の外側からレンズ装置に向けて入射する不要光Ｂを遮る。
【００４２】
以上のように、本実施例によれば、実施例１および実施例２の効果に加え、遮光部のフード効果による良好な映像を提供することが可能になる。
【００４３】
以上、本発明の好ましい実施形態について説明したが、本発明はこれらの実施形態に限定されず、その要旨の範囲内で種々の変形及び変更が可能である。
【符号の説明】
【００４４】
１  ：  光学アクセサリ用アダプタ
１ｃ：  物体側面
１ｄ：  切欠き部
２  ：  レンズ装置
４  ：  マットボックス（光学アクセサリ）
【図１】
2014163980.tif 000003
【図２】
2014163980.tif 000004
【図３】
2014163980.tif 000005
【図４】
2014163980.tif 000006
【図５】
2014163980.tif 000007
【図６】
2014163980.tif 000008
【図７】
2014163980.tif 000009
【図８】
2014163980.tif 000010
【図９】
2014163980.tif 000011
【図１０】
2014163980.tif 000012